(57)【要約】【課題】  反射板の微小角度調整が可能で、バックラッシュを防止することができ、さらに振動等の外乱による反射板の向きのずれを防止することができる外構フェンス防犯装置を提供すること。【解決手段】  送信部から送信された赤外線を受信部で受信する際に侵入者により赤外線が遮られたときにこれを検知して報知を行なう外構フェンス防犯装置であって、送信部と受信部とを間隔をあけて設置すると共に送信部からの赤外線を受信部に向けて反射する反射板Ｂを回動自在に設けた反射ユニットＨを備えてなり、反射ユニットＨは、反射板Ｂと一体に回動する回動軸３と、反射板Ｂを回動自在に収容する外殻ケースＧＨと、外殻ケースＧＨに固定されて回動軸３が挿入される貫通孔４２を有する軸受け４とを備えてなり、軸受け４が弾性体からなるようにする。【選択図】図５
2005339116.tif 000002
【特許請求の範囲】
【請求項１】
送信部から送信された赤外線を受信部で受信する際に侵入者により赤外線が遮られたときにこれを検知して報知を行なう外構フェンス防犯装置であって、
送信部と受信部とを間隔をあけて設置すると共に送信部からの赤外線を受信部に向けて反射する反射板を回動自在に設けた反射ユニットを備えてなり、
前記反射ユニットは、
反射板と一体に回動する回動軸と、
反射板を回動自在に収容する外殻ケースと、
外殻ケースに固定されて前記回動軸が挿入される貫通孔を有する軸受けとを備えてなるものであり、
前記軸受けが弾性体からなることを特徴とする外構フェンス防犯装置。
【請求項２】
前記回動軸の軸受けと接する側面部分に突起部が設けられてなることを特徴とする請求項１に記載の外構フェンス防犯装置。
【請求項３】
前記突起部が、回動軸の軸方向に沿って設けられるとともに、回動軸の円周方向に等間隔に設けられてなることを特徴とする請求項２に記載の外構フェンス防犯装置。
【請求項４】
前記各突起部は、それぞれ大突起と小突起とから構成されるものであり、回動軸の円周方向において大突起の両側に小突起が密接して設けられてなるものであることを特徴とする請求項３に記載の外構フェンス防犯装置。
【発明の詳細な説明】
【技術分野】
【０００１】
本発明は、外構フェンス防犯装置に関し、詳しくは例えば侵入者が住宅外構フェンスを乗り越えた際に赤外線にてこれを検知する外構フェンス防犯装置に関するものである。
【背景技術】
【０００２】
従来より、外構フェンスを侵入者が乗り越えたときにこれを検知する外構フェンス防犯装置として、外構フェンス上に赤外線の送信機と受信機を設けて検知する方法が一般的に知られている。
【０００３】
このような外構フェンス防犯装置においては、外構フェンスのコーナー部等で、送信部からの赤外線の角度を受信部へ向けて曲げる必要があり、回動可能な反射板を備えた反射ユニットが用いられている。そして、受信部での赤外線の受信量が最も大きくなるように反射板の向きを調整して反射ユニットを設置するようにしている。
【０００４】
一方、住宅への侵入者を検知する防犯装置６１として、図８、９に示すような、赤外線センサー６２を備え、窓６３の上部に取り付けられて人体の検知を行うものが知られている（特許文献１）。
【０００５】
このような防犯装置６１においては、赤外線センサー６２の検知範囲を調整するために、回動体６４上に赤外線センサー６２を取り付けている。ここで、回動体６４には半円状の歯車６５が設けられており、本体ケース６６に取り付けられた係止部６７を歯車６５の歯と歯の間の谷部に当接させることにより、回動体６４が自由に回動しないようにしている。
【特許文献１】特開２００１−１２４８６６公報
【発明の開示】
【発明が解決しようとする課題】
【０００６】
上記従来の外構フェンス防犯装置においては、反射板の向きが僅かに変化しただけで受信部での赤外線の受信量が敏感に変化するものであり、従来より、反射板の微小角度調整が可能で、しかも角度調整後も安定して保持させておくことが可能であることが望まれていた。
【０００７】
そのような構成としては、特許文献１に開示されているような、回動体６４に歯車６５を設けるものや、あるいは、図示しないが、回動体の軸と軸受け部分にゴムリングを介在させておくもの等が考えられる。
【０００８】
しかしながら、歯車を用いた場合は、歯車の微小加工が難しいため反射板の微小角度調整が難しく、また、ゴムリングを用いた場合には、ゴムの歪による回動体の軸の戻り（以下、バックラッシュという）が生じるため、経時的に反射板の向きがずれてしまうおそれがあった。
【０００９】
本発明は、かかる事由に鑑みてなしたもので、その目的とするところは、反射板の微小角度調整が可能で、バックラッシュを防止することができ、さらに振動等の外乱による反射板の向きのずれを防止することができる外構フェンス防犯装置を提供することにある。
【課題を解決するための手段】
【００１０】
上記課題を解決するために、本発明では、第１には、送信部から送信された赤外線を受信部で受信する際に侵入者により赤外線が遮られたときにこれを検知して報知を行なう外構フェンス防犯装置であって、送信部と受信部とを間隔をあけて設置すると共に送信部からの赤外線を受信部に向けて反射する反射板を回動自在に設けた反射ユニットを備えてなり、前記反射ユニットは、反射板と一体に回動する回動軸と、反射板を回動自在に収容する外殻ケースと、外殻ケースに固定されて前記回動軸が挿入される貫通孔を有する軸受けとを備えてなるものであり、前記軸受けが弾性体からなるようにする。
【００１１】
第２には、前記回動軸の軸受けと接する側面部分に突起部が設けられてなるようにする。
【００１２】
第３には、前記突起部が、回動軸の軸方向に沿って設けられるとともに、回動軸の円周方向に等間隔に設けられてなるようにする。
【００１３】
第４には、前記各突起部は、それぞれ大突起と小突起とから構成されるものであり、回動軸の円周方向において大突起の両側に小突起が密接して設けられてなるようにする。
【発明の効果】
【００１４】
上記本発明の第１の外構フェンス防犯装置では、軸受けが弾性体からなるので、反射板の微小角度調整が可能で、バックラッシュを防止することができ、さらに振動等の外乱による反射板の向きのずれを防止することができる。
【００１５】
上記本発明の第２の外構フェンス防犯装置では、上記第１の外構フェンス防犯装置と同様の効果が得られ、また、回動軸の軸受けと接する側面部分に突起部が設けられてなるので、回動軸と軸受けとが線接触または点接触となり、回動軸を回動する際の軸受けの歪を軽減することができる。その結果、さらにバックラッシュを防止することができる。
【００１６】
上記本発明の第３の外構フェンス防犯装置では、上記第１の外構フェンス防犯装置と同様の効果が得られ、また、突起部が回動軸の軸方向に沿って設けられ、回動軸の円周方向に等間隔に設けられてなるので、軸受けから回動軸にかかる押力が回動軸の中心に向かって働くため、振動等の外乱による反射板の向きのずれをさらに防止することができる。
【００１７】
上記本発明の第４の外構フェンス防犯装置では、上記第１の外構フェンス防犯装置と同様の効果が得られ、また、各突起部は、それぞれ大突起と小突起とから構成されるものであり、回動軸の円周方向において大突起の両側に小突起が密接して設けられてなるので、回動軸を回動する際の軸受けの歪をさらに軽減することができ、その結果、バックラッシュをさらに防止することができる。
【発明を実施するための最良の形態】
【００１８】
本発明の実施形態における外構フェンス防犯装置１について、図１〜７に基づいて説明する。
【００１９】
本実施形態における外構フェンス防犯装置１は、図１、２に示すように、送信部Ｓから送信された赤外線Ａを受信部Ｊで受信する際に、フェンスＦを乗り越える侵入者により赤外線Ａが遮られたときにこれを検知して威嚇・報知等を行なう方式である。なお、フェンスＦは、例えば上下複数の横桟Ｆ11と左右複数の縦桟Ｆ12とを組み合わせたフェンス本体Ｆ1と、フェンス本体Ｆ1の側面に沿って立設される複数本の支柱Ｆ2とで構成されている。各支柱Ｆ2はフェンス本体Ｆ1の側面に沿った自由な位置で施工可能となっている自由柱である。また、図中のＦ3は門である。
【００２０】
検知ユニットＫは、一側面に赤外線Ａを送信する送信部Ｓを有し且つ一側面と対向する他側面に赤外線Ａを受信する受信部Ｊを有する送信・受信一体型となっている。ここでは上下２つの送信部Ｓ及び受信部Ｊをそれぞれ備え、送信・受信共に赤外線を２本（ダブルビーム方式）とすることで、鳥などの小動物や落ち葉、外乱等による誤動作を軽減できるようになっている。
【００２１】
図３に示すように、検知ユニットＫの外郭ケースＧＫは送信ケースＧＳと受信ケースＧＪとからなる。本例では送信側と受信側との区別を明確に認識できるようにするため、送信ケースＧＳと受信ケースＧＪは左右非対象の外郭形状を有している。本例の送信ケースＧＳは、その上下２箇所に赤外線Ａを通すレンズが設けられる開口部Ｋ1が設けられていると共に、送信ケースＧＳの両側面には報知灯（図示せず）が設置されている。一方、受信ケースＧＪは、図示しないが上下２箇所に赤外線Ａを通すレンズが設けられる開口部が設けられている。これら送信ケースＧＳと受信ケースＧＪとを背面合わせにしてビス止めすることで、両ケースは一体に組み立てられている。
【００２２】
ここで、図示はしないが検知ユニットＫの検知回路の一例について説明する。受信部Ｊ側の上下２箇所に赤外線Ａを受光するフォトトランジスタが設けられている。各フォトトランジスタの検知信号は、バンドパスフィルタ（ノイズ除去）、増幅部、コンパレータ（波形整形）を介してマイクロコンピュータに入力される。マイクロコンピュータの出力側は、ＬＥＤ駆動信号線を介して送信部Ｓ側の赤外線Ａを放つ上下２個の発光ダイオードＬＥＤにそれぞれ接続されていると共に、別のＬＥＤ駆動信号線を介して報知灯に接続されている。報知灯は侵入者に対して威嚇等を行なうものである。つまり、侵入者によって赤外線Ａが遮られないときは通常の送信波形、受信波形となっているが、侵入者が赤外線Ａを遮ると受信が遮断されるため、受信波形は閾値（受信信号規定値）以下となって報知灯が点灯する。なお報知灯の点灯に加えて、音声やブザー等による警報音を鳴らしたり、或いは検出出力を検出信号伝送線又は無線等により管理者室や警備会社に伝送することも可能である。
【００２３】
しかして、上記送信・受信一体型の検知ユニットＫを適宜間隔Ｄ（例えば、６ｍ）をあけて配置する。このとき、対向する一方の検知ユニットＫの一側面と他方の検知ユニットＫの他側面とを向かい合わせにするように配置することによって、複数個の検知ユニットＫ相互間で送信・受信を順次繰り返すようになり、フェンスＦ廻りを連続的に検知可能となる。しかも、１個の検知ユニットＫに送信機能と受信機能を持たせたので、従来のように２個１組の送信機と受信機とを並べて設置する必要がなく、低コストで且つ意匠性に優れた検知ユニットＫが得られるものである。さらに防犯エリアの途中に中継部を増やす場合は、フェンスＦ廻りを検知する場合においてフェンスＦの支柱Ｆ2を中継部として利用でき、これにより侵入場所の特定がしやすくなり、しかも１本の支柱Ｆ2に１個の検知ユニットＫを設置すればよいため、検知ユニットＫの数を少なくできるので、検知ユニットＫが目立ちにくくなり、見た目にも物々しいイメージがなくなり、侵入者以外の者に対して監視による威圧感を与えることがなくなる結果、良好な住環境イメージを維持しながら防犯効果を高めることができる。
【００２４】
次に、検知ユニットＫをフェンスＦのコーナー部Ｃに設置する場合の一例を説明する。本例では、コーナー部Ｃに設置される検知ユニットＫの送信部Ｓ側には、図４に示すように、反射ユニットＨを装着している。
【００２５】
反射ユニットＨは、検知ユニットＫに取り付けられるアタッチメントとなるもので、図５に示すように、赤外線Ａを反射させて赤外線Ａの角度を曲げるための反射板Ｂが備えられている。
【００２６】
また、反射ユニットＨは、コーナーボディＨ1とコーナーカバーＨ2及び天カバーＨ3とで外殻ケースＧＨが構成される。コーナーボディＨ1は、本体板部１１と、本体板部１１の上端部に設けられる半割れ状の機構ケーシング２ａと下端部に設けられる底板部１２とからなる。本体板部１１は、正面視縦長の略矩形状をした板状のもので、上下端部の送信部Ｓに対応する位置にそれぞれ赤外線Ａが挿通される貫通窓１３が形成してある。コーナーカバーＨ2は、平面視略Ｕ字形をした曲面の板状のもので、前記コーナーボディＨ1の上下長さとほぼ同じ上下長さに形成してあり、コーナーボディＨ1とコーナーカバーＨ2の側端部同士が取り付けられて平面断面略Ｄ字形をした反射ユニットＨの外殻主体が構成される。コーナーカバーＨ2の上端部には反射ユニットＨの半割れ状の機構ケーシング２ａに対応する半割れ状の機構ケーシング２ｂが設けてあるとともに、下端部には底板部（特に図示せず）が設けてあり、このコーナーカバーＨ2とコーナーボディＨ1の機構ケーシング２及び底板部１２が反射ユニットＨ内の収容部の天蓋及び底となる。
【００２７】
機構ケーシング２と底板部１２は、反射板Ｂの上下端部を回動自在に支持、収容するもので、コーナーボディＨ1とコーナーカバーＨ2とに設けられる機構ケーシング２及び底板部１２はそれぞれ半割れ状となっている。すなわち、コーナーボディＨ1とコーナーカバーＨ2とに設けられる半割れ状の機構ケーシング２及び底板部１２は、互いに対向する端部が突き合わされて機構ケーシング２及び底板部１２の全体が形成されてそれぞれコーナーユニットＨの天蓋及び底となるもので、底板部１２の突き合わせ端部には反射板Ｂの下端部が挿通される略半円状の切欠がそれぞれ形成してあり、突き合わされた状態で略円形状となる。
【００２８】
反射板Ｂは、上記コーナーボディＨ1の本体板部１１より小さい板部Ｂ1と、該板部Ｂ1の上下端部に突設される上突出部Ｂ2及び下突出部Ｂ3とからなり、反射板Ｂの少なくとも一面には反射部Ｒが形成される。反射部Ｒは、反射板Ｂの表面に赤外線Ａの減衰率が小さい高反射率の加工（例えばアルミ、銅等の蒸着、或いはメッキ等）を施すことで形成しているが、反射板Ｂとは別構成の反射鏡を接合するものであってもよい。反射板Ｂの下突出部Ｂ3は、コーナーボディＨ1とコーナーカバーＨ2の底板部１２の略半円状の切欠１２ａが突き合わされて形成される略円形状の孔部を挿通して下方に挿通される。また、下突出部Ｂ3は下端部が前記孔部よりも大径の抜止め部となっている。このようにして反射板Ｂの下端部は回動自在となるように反射ユニットＨの外殻ケースＧＨの下端部に配設される。
【００２９】
次に、反射板Ｂの上端部の外殻ケースＧＨへの配設について説明する。外殻ケースＧＨの上端部には、回動軸３、軸受け４が配設される。これらは、コーナーボディＨ1とコーナーカバーＨ2の半割れ状の機構ケーシング２ａ，２ｂが突き合わされた機構ケーシング２に収容される。機構ケーシング２には、軸受け取付部２１が形成されている。
【００３０】
回動軸３は、図６に示すように、軸受け４に受けられて反射板Ｂを回動させるもので、本体軸部３１と、本体軸部３１の上端部に形成される操作摘まみ部３２とで主体が構成される。本体軸部３１は、略円柱状をしたもので、上端部の操作摘まみ部３２は本体軸部３１の径より大径に形成してある。
【００３１】
また、本体軸部３１の下端面からは、反射板Ｂの上突出部Ｂ2が嵌入される嵌入孔３５が上方に向けて穿設してある。この嵌入孔３５は、断面形状が略六角形状に形成してあるとともに、反射板Ｂの上突出部Ｂ2が略六角形状に形成してあり、この上突出部Ｂ2がスライド自在に嵌入孔３５に嵌入されることで、回動軸３からの回動力が反射板Ｂに伝達される。
【００３２】
軸受け４は、コーナーボディＨ1とコーナーカバーＨ2の機構ケーシング２に取り付けられて回動軸３を受けるもので、機構ケーシング２の軸受け取付部２１に取り付けられる。軸受け取付部２１には内方に突出する凸部２６が設けてあり、一方、軸受け４の外周には凸部２６が嵌入される凹部４１を形成してあって、凹部４１と凸部２６の嵌合によって軸受け４が反射ユニットＨの外殻ケースＧＨに固定される。この軸受け４には、平面視円形状をした貫通孔４２が形成される。
【００３３】
ここで、図７に示すように、回動軸３の本体軸部３１の軸受け４と接する側面部分には、回動軸３の円周方向に等間隔で、且つ回動軸３の軸方向に沿うように突起部５０が４箇所に設けられている。各突起部５０は、それぞれ大突起５０ａと小突起５０ｂとから構成されるものであり、回動軸３の円周方向において大突起５０ａの両側に小突起５０ｂが密接して設けられている。
【００３４】
また、軸受け４は弾性体であるゴムからなり、回動軸３は大突起５０ａ及び小突起５０ｂを介して軸受け４に保持されている。
【００３５】
反射板Ｂの角度調整を行う際、回動軸３を回動させていくと、小突起５０ｂ→大突起５０ａというように、突起部５０と軸受け４とが線接触した状態で段階的に軸受け４を押し広げていくので、軸受け４に歪を蓄積させることなく、回動軸３を回動させることができる。
【００３６】
また、各突起部５０間では、軸受け４のテンションが緩和されるので、軸受け４の歪が解放される。
【００３７】
また、軸受け４から回動軸３にかかる押力が、突起部５０から回動軸３の中心軸に向かって働くため、振動等の外乱による反射板Ｂの向きのずれを防止することができる。
【００３８】
以上のように、本実施形態における外構フェンス防犯装置１は、軸受け４が弾性体からなるので、反射板Ｂの微小角度調整が可能で、バックラッシュを防止することができ、さらに振動等の外乱による反射板Ｂの向きのずれを防止することができる。
【００３９】
また、回動軸３の軸受け４と接する側面部分に突起部５０が設けられてなるので、回動軸３と軸受け４とが線接触となるため、回動軸３を回動する際の軸受け４の歪を軽減することができ、その結果、さらにバックラッシュを防止することができる。
【００４０】
また、突起部５０が回動軸３の長手方向に沿って設けられ、回動軸３の円周方向に等間隔に設けられてなるので、軸受け４から回動軸３にかかる押力が回動軸３の中心軸に向かって働くため、振動等の外乱による反射板Ｂの向きのずれをさらに防止することができる。
【００４１】
また、各突起部５０は、それぞれ大突起５０ａと小突起５０ｂとから構成されるものであり、回動軸３の円周方向において大突起５０ａの両側に小突起５０ｂが密接して設けられてなるので、回動軸３を回動する際の軸受け４の歪をさらに軽減することができ、その結果、バックラッシュをさらに防止することができる。
【図面の簡単な説明】
【００４２】
【図１】本発明の実施形態における外構フェンス防犯装置１の防犯エリアの一例を示す斜視図である。
【図２】同実施形態における防犯エリアを示し、（ａ）は全体平面図であり、（ｂ）は一部拡大平面図である。
【図３】同実施形態における検知ユニットＫの斜視図である。
【図４】同実施形態における検知ユニットＫに反射ユニットＨを装着した場合の斜視図である。
【図５】同実施形態における反射ユニットＨの分解斜視図である。
【図６】同実施形態における反射ユニットＨの上部分解斜視図である。
【図７】同実施形態における回動軸３及び軸受け４の横断面図である。
【図８】従来の防犯装置６１を示す斜視図である。
【図９】従来の防犯装置６１の縦断面図である。
【符号の説明】
【００４３】
１  外構フェンス防犯装置
３  回動軸
４  軸受け
５０  突起部
Ａ  赤外線
Ｂ  反射板
Ｈ  反射ユニット
Ｊ  受信部
Ｓ  送信部
【図１】
2005339116.tif 000003
【図２】
2005339116.tif 000004
【図３】
2005339116.tif 000005
【図４】
2005339116.tif 000006
【図５】
2005339116.tif 000007
【図６】
2005339116.tif 000008
【図７】
2005339116.tif 000009
【図８】
2005339116.tif 000010
【図９】
2005339116.tif 000011